(57)【特許請求の範囲】
【請求項１】
サラウンドスピーカを用いることで音場効果が成り立つようにした音場サラウンド再生機能を含む複数の多チャンネル再生機能を有するオーディオ機器を備えるオーディオシステムであって、上記オーディオ機器は、上記音場サラウンド再生機能のオン状態時に入力信号のチャンネル数の変化を監視し、上記入力信号が上記サラウンドスピーカを必要とするチャンネル数の場合は、上記音場サラウンド再生機能をオン状態に維持し、上記入力信号が上記サラウンドスピーカを必要としないチャンネル数の場合は、上記音場サラウンド再生機能をオン状態からオフ状態に切り替えることを特徴とするオーディオシステム。
【請求項２】
請求項１記載のオーディオシステムにおいて、前記オーディオ機器は、前記入力信号のチャンネル数の変化を、前記入力信号に含まれるチャンネルコードで確認することを特徴とするオーディオシステム。
【請求項３】
サラウンドスピーカを用いることで音場効果が成り立つようにした音場サラウンド再生機能を含む複数の多チャンネル再生機能を有するオーディオ機器を備えるオーディオシステムであって、上記オーディオ機器は、上記音場サラウンド再生機能のオン状態時に入力信号にチャンネルコードが含まれているか否かを監視し、入力信号に上記チャンネルコードが含まれている場合はそのチャンネルコードからチャンネル数を判別し、上記音場サラウンド再生機能をオン状態に維持しまたはオフ状態に切り替え、入力信号に上記チャンネルコードが含まれていない場合は複数の多チャンネル再生機能のうちどの多チャンネルに対する再生機能が選択されているかの判断に基づいて、上記音場サラウンド再生機能をオンまたはオフ状態に切り替えることを特徴とするオーディオシステム。
【請求項４】
サラウンドスピーカを用いることで音場効果が成り立つようにした音場サラウンド再生機能を含む複数の多チャンネル再生機能を有するオーディオ機器を備えるオーディオシステムであって、上記サラウンドスピーカを用いる場合と、用いない場合とに手動にて選択可能とされ、入力信号が上記サラウンドスピーカを必要としない信号の場合は、上記音場サラウンド再生機能がオン状態とされていてもオフ状態に切り替えることを特徴とするオーディオシステム。
【請求項５】
サラウンドスピーカを用いることで音場効果が成り立つようにした音場サラウンド再生機能を含む複数の多チャンネル再生機能を有するオーディオ機器を備えるオーディオシステムであって、さらに、このシステムは双方向リコモンコマンダーを備えると共に、上記オーディオ機器は上記双方向リモコンコマンダーとリモコン信号のやりとりを行うリモコン送受信部を備え、上記双方向リモコンコマンダーは、表示部と操作部を備え、上記表示部には、上記音場サラウンド再生機能用アイコンと他の複数の再生機能用アイコンが表示され、上記操作部は、少なくとも、上記アイコンの中から特定のアイコンを選択指示する選択キーと選択されたアイコンに対応する機能をエンターするエンターキーを備え、上記音場サラウンド再生機能用アイコンは、上記オーディオ機器からの信号によってその表示状態が変更可能に構成されていると共に上記音場サラウンド再生機能用アイコンの表示状態は、上記音場サラウンド再生機能を設定したことを表す第１の表示状態と、上記音場サラウンド再生機能の動作中を表す上記第１の表示状態と異なる表示状態であって上記オーディオ機器からの信号によって表示されることとなる上記音場サラウンド再生機能が適正に行われていることを示す第２の表示状態とを有することを特徴とするオーディオシステム。
【発明の詳細な説明】
【０００１】
【発明の属する技術分野】
本発明は、オーディオシステムに関し、サラウンドスピーカを用いることで音場効果が成り立つようにした音場サラウンド再生機能に関し、特にＴＨＸサラウンド再生機能を含む複数のサラウンド再生機能を有するオーディオシステムに関する。
【０００２】
【従来の技術】
従来、複数の音場、たとえばドルビーデジタル、ドルビープロロジック、３ステレオ、ステレオ等、再生機能を持つサラウンドアンプ、レシーバ等のオーディオ機器と、ＬおよびＲチャンネル用スピーカと複数のサラウンドチャンネル用スピーカからなるオーディシステムがある。このようなオーディオシステムにおいて、さらに、他の音場再生機能として上記音場サラウンド再生機能（特に、ＴＨＸサラウンド再生機能）を付加した時、従来システムの動作では、上記音場サラウンド再生機能をオンモード状態に設定しておくと、ドルビー  デジタルの入力信号が５．１ｃｈ（サラウンドスピーカから出力するモード）であろうと２．０ｃｈ（サラウンドスピーカからは出力せず、ＬおよびＲスピーカからのみ出力するモード）であろうと、上記音場サラウンド再生機能の効果をかけたままの状態で音場再生している。
【０００３】
【発明が解決しようとする課題】
しかし、上記音場サラウンド再生機能（特に、ＴＨＸサラウンド再生機能）は、映画等のビデオソフトの再生時効果を要求された音場効果を得るための再生機能であって、サラウンドスピーカより音を出力する場合に有効であり、２．０ｃｈのステレオ信号において上記音場サラウンド再生機能の効果を利かせることは、上記音場サラウンド再生機能上ユーザーに推奨できない。
【０００４】
たとえば、従来の上記音場サラウンド再生機能（特に、ＴＨＸサラウンド再生機能）の操作仕様では、ドルビーデジタル入力時に上記音場サラウンド再生機能をオンモード状態にしておくと、入力信号のチャンネル数の変化に関わらず、上記音場サラウンド再生機能の効果をかけたままだったため、２．０ｃｈで再生する場合はユーザーが上記音場サラウンド再生機能を手動でオフしなければならず、また、２．０ｃｈから５．１ｃｈに切り替わった時には、再び手動で上記音場サラウンド再生機能をオンする操作をしなければならず、操作が面倒であるという問題がある。
【０００５】
本発明の目的は、上記従来システムの問題点を解決し、上記音場サラウンド再生機能で特にＴＨＸサラウンド再生機能の好適な利用が可能なオーディオシステムを提供することにある。
【０００６】
【課題を解決するための手段】
請求項１記載の発明は、サラウンドスピーカを用いることで音場効果が成り立つようにした音場サラウンド再生機能を含む複数の多チャンネル再生機能を有するオーディオ機器を備えるオーディオシステムであって、オーディオ機器は、音場サラウンド再生機能のオン状態時に入力信号のチャンネル数の変化を監視し、入力信号がサラウンドスピーカを必要とするチャンネル数の場合は、音場サラウンド再生機能をオン状態に維持し、入力信号がサラウンドスピーカを必要としないチャンネル数の場合は、音場サラウンド再生機能をオン状態からオフ状態に切り替えるものである。
【０００７】
請求項２記載の発明は、請求項１記載のオーディオシステムにおいて、オーディオ機器は、入力信号のチャンネル数の変化を、入力信号に含まれるチャンネルコードで確認するようにしたものである。
【０００８】
請求項３記載の発明は、サラウンドスピーカを用いることで音場効果が成り立つようにした音場サラウンド再生機能を含む複数の多チャンネル再生機能を有するオーディオ機器を備えるオーディオシステムであって、オーディオ機器は、上記音場サラウンド再生機能のオン状態時に入力信号にチャンネルコードが含まれているか否かを監視し、入力信号に上記チャンネルコードが含まれている場合はそのチャンネルコードからチャンネル数を判別し、上記音場サラウンド再生機能をオン状態に維持しまたはオフ状態に切り替え、入力信号に上記チャンネルコードが含まれていない場合は複数の多チャンネル再生機能のうちどの多チャンネルに対する再生機能が選択されているかの判断に基づいて、上記音場サラウンド再生機能をオンまたはオフ状態に切り替えるようにしたものである。
【０００９】
請求項４記載の発明は、サラウンドスピーカを用いることで音場効果が成り立つようにした音場サラウンド再生機能を含む複数の多チャンネル再生機能を有するオーディオ機器を備えるオーディオシステムであって、上記サラウンドスピーカを用いる場合と、用いない場合とに手動にて選択可能とされ、入力信号がサラウンドスピーカを必要としない信号の場合は、音場サラウンド再生機能がオン状態とされていてもオフ状態に切り替えるものである。
【００１０】
請求項５記載の発明は、サラウンドスピーカを用いることで音場効果が成り立つようにした音場サラウンド再生機能を含む複数の多チャンネル再生機能を有するオーディオ機器を備えるオーディオシステムであって、さらに、このシステムは双方向リコモンコマンダーを備えると共に、オーディオ機器は双方向リモコンコマンダーとリモコン信号のやりとりを行うリモコン送受信部を備え、双方向リモコンコマンダーは、表示部と操作部を備え、表示部には、音場サラウンド再生機能用アイコンと他の複数の再生機能用アイコンが表示され、操作部は、少なくとも、アイコンの中から特定のアイコンを選択指示する選択キーと選択されたアイコンに対応する機能をエンターするエンターキーを備え、音場サラウンド再生機能用アイコンは、オーディオ機器からの信号によってその表示状態が変更可能に構成されている。
【００１１】
さらに、請求項５記載の発明は、双方向リモコンコマンダーの音場サラウンド再生機能用アイコンの表示状態は、音場サラウンド再生機能を設定したことを表す第１の表示状態と、音場サラウンド再生機能の動作中を表す第１の表示状態と異なる表示状態であってオーディオ機器からの信号によって表示されることとなる音場サラウンド再生機能が適正に行われていることを示す第２の表示状態とを有するようにしたものである。
【００１２】
【発明の実施の形態】
本発明の実施の形態について、サラウンドスピーカを用いることで音場効果が成り立つようにした音場サラウンド再生機能で、特にＴＨＸサラウンド再生機能を例に説明する。  図１は本発明に係るオーディオシステムの実施の形態を示すブロック図である。図１において、サラウンドアンプ１は、ＴＨＸサラウンド、ドルビーデジタルサラウンド、ドルビープロロジック等を含む複数のサラウンド再生機能と、３ステレオおよびステレオ再生機能を有するものであり、マイクロコンピュータ２と、入力端子３と、デジタル  インターフェース  レシーバー（ＤＩＲ）４と、デジタル  シグナル  プロセッサ（ＤＳＰ）５と、デジタル／アナログコンバータ（Ｄ／Ａ）６と、アンプ７と、出力端子８と、リモコン送受信部９とからなる。
【００１３】
マイクロコンピュータ２は、ＴＨＸサラウンド、ドルビーデジタルサラウンド、ドルビープロロジック等を含む複数のサラウンド再生機能と、３ステレオおよびステレオ再生機能を、それぞれの指定に基づいて働かせるように全体動作を制御する。
【００１４】
ＤＩＲ４は、入力端子３に入力される多チャンネルデジタル信号をシリアルモードで受けてマイクロコンピュータ２に供給するとともに、ＤＳＰ５にシリアル／パラレル変換して出力する。したがって、ＤＳＰ５、Ｄ／Ａ６、アンプ７および出力端子８は、入力端子３に供給される多チャンネルデジタル入力信号のチャンネル数に相当するチャンネルを持っているが、図１では１チャンネルだけに略している。
【００１５】
ＤＳＰ５は、ＴＨＸサラウンド、ドルビーデジタルサラウンド、ドルビープロロジック等のサラウンド再生機能が指定されたとき、ＤＩＲ４からの多チャンネル信号をマイクロコンピュータ２の制御により指定されたサラウンド再生機能に対応するようにデジタル的に処理を行う。
【００１６】
Ｄ／Ａ６は、ＤＳＰ５で処理された多チャンネルデジタル信号を多チャンネルアナログ信号に変換する。アンプ７はＤ／Ａ６からの多チャンネルアナログ信号を増幅して出力端子８に供給する。
【００１７】
出力端子８は、アンプ７からの多チャンネルアナログ信号を、チャンネル毎に対応するスピーカ、たとえばここではいずれも図示しないが、ステレオ用スピーカ（ＬチャンネルスピーカおよびＲチャンネルスピーカ）とサラウンド用スピーカ（リアＬチャンネルスピーカ、リアＲチャンネルスピーカ、センタースピーカ、サブウーハスピーカ）、に供給する。
【００１８】
リモコン送受信部９は、双方向リモコンコマンダー１０とリモコン信号のやりとりを行い、マイクロコンピュータ２に供給する。
【００１９】
双方向リモコンコマンダー１０は、表示部１１と操作部１２を備えている。表示部１１は、たとえば液晶ディスプレイからなり、各種再生機能を指定する際の画面としてドルビーデジタル、プロロジック、３ステレオ、ステレオ、ＴＨＸを指定するためのアイコン１１ａ，１１ｂ，１１ｃ，１１ｄおよび１１ｅを持っている。
【００２０】
操作部１２はサラウンドアンプ１の動作を指定するための操作キーを備え、たとえば、表示されているアイコンの中から特定のアイコンを選択指示する選択キーと選択されたアイコンに対応する機能をエンターするエンターキーを兼用する操作キー１３を含む。操作キー１３は、十字型に構成され、その上部１３ａはカーソル上方向移動キー、下部１３ｂはカーソル下方向移動キー、右部１３ｃはカーソル右方向移動キー、左部１３ｄはカーソル左方向移動キーおよび中心部１３ｅはエンターキーとしてそれぞれ働く５つの機能を持っている。
【００２１】
次に、上記の構成における動作を説明する。まず、一例として、サラウンド再生機能としてドルビーデジタルが選択され、かつＴＨＸ効果を付加する場合について説明する。
【００２２】
まず、双方向リモコンコマンダー１０の表示部１１に、各種再生機能を指定する画面としてのリスンモード画面を出し、ドルビーデジタル、プロロジック、３ステレオ、ステレオ、ＴＨＸを指定するためのアイコン１１ａ，１１ｂ，１１ｃ，１１ｄおよび１１ｅを表示させる。
【００２３】
次いで、操作キー１３のカーソル上方向移動キー１３ａまたはカーソル下方向移動キー１３ｂを操作して表示部１１に表示されているアイコンの中からアイコン１１ａ「Dolby Digital 」を選択し、次いでエンターキー１３ｅを操作してエンターする。それにより、図２（Ａ）に示すように、アイコン１１ａ「Dolby Digital 」は、他のアイコンと区別できるように陰影付アイコンとして表示される。  このとき、双方向リモコンコマンダー１０からドルビーデジタルを指定するリモコン信号がサラウンドアンプ１の送受信部９に送信される。送受信部９で受信したリモコン信号はマイクロコンピュータ２に入力され、マイクロコンピュータ２は、リモコン信号に基づいてＤＳＰ５をドルビーデジタルに対応するデジタル信号処理を行うよう制御する。
【００２４】
次いで、操作キー１３のカーソル上方向移動キー１３ａまたはカーソル下方向移動キー１３ｂを操作して、表示部１１に表示されているアイコン１１ｅ「ＴＨＸ」を選択し、次いでエンターキー１３ｅを操作してエンターする。それにより、図２（Ｂ）に示すように、アイコン１１ｅには「ＴＨＸ  ＯＮ」と表示され、ＴＨＸ機能を付加すべきことが示される。すなわち、アイコン１１ｅを「ＴＨＸ」から「ＴＨＸ  ＯＮ」に変えることにより、ＴＨＸサラウンド再生機能を設定したことを表す。
【００２５】
このとき、双方向リモコンコマンダー１０からＴＨＸ機能を指定するリモコン信号がサラウンドアンプ１の送受信部９に送信される。送受信部９で受信したＴＨＸ機能を指定するリモコン信号はマイクロコンピュータ２に入力される。
【００２６】
一方、マイクロコンピュータ２は、ＤＩＲ４から多チャンネルデジタル入力信号が供給され、その内容を常時確認している。入力端子３に供給される多チャンネルデジタル信号がドルビーデジタル信号の場合はその信号中にチャンネル数を表すチャンネルコードが含まれており、マイクロコンピュータ２は、このチャンネルコードの内容を調べてそのチャンネル数を確認することができる。また、入力端子３に供給される多チャンネルデジタル信号が、チャンネルコードを含まない信号であれば、マイクロコンピュータ２は、複数の多チャンネル再生機能のうちどの多チャンネル再生機能が選択されているかを判断している。
【００２７】
そこで、上記の例では、マイクロコンピュータ２は、ＤＩＲ４からドルビーデジタルに対応する多チャンネル信号が入力されるので、その信号中のチャンネルコードを確認する。マイクロコンピュータ２は、入力端子３に供給された多チャンネル信号がドルビーデジタルの５．１チャンネル信号であると確認した場合は、送受信部９で受信したＴＨＸ機能を指定するリモコン信号に基づいて、ＤＳＰ５をＴＨＸ機能に対応するデジタル信号処理を行うよう制御する。
【００２８】
したがって、入力端子３に入力されたドルビーデジタルの５．１チャンネル信号は、ＤＳＰ５でドルビーデジタル機能にＴＨＸ効果が付加されたデジタル信号処理が行われ、Ｄ／Ａ６、アンプ７および出力端子８を介してステレオスピーカおよびサラウンドスピーカに供給される。
【００２９】
また、マイクロコンピュータ２は、送受信部９から「ＴＨＸオン」を表すリモコン信号を双方向リモコンコマンダー１０へ返信する。双方向リモコンコマンダー１０は、受信した「ＴＨＸオン」を表すリモコン信号に基づいて、図２（Ｃ）に示すように、表示部１１のアイコン１１ｅの「ＴＨＸ  ＯＮ」を、ＴＨＸ機能を設定したことを表す陰影無しの表示からＴＨＸ機能の動作中を表す陰影付アイコンに変える。したがって、表示部１１のアイコン１１ｅの表示を見て、オーディオシステムがドルビーデジタル機能にＴＨＸ機能が付加された状態であることが分かる。
【００３０】
次に、マイクロコンピュータ２は、入力端子３に供給された多チャンネル信号がチャンネルコードの内容に基づいてドルビーデジタルの２．０チャンネル信号であると確認した場合は、送受信部９で受信したＴＨＸ機能を指定するリモコン信号を無視し、ＤＳＰ５をＴＨＸオフでデジタル信号処理するように制御する。
【００３１】
したがって、入力端子３に入力されたドルビーデジタルの２．０チャンネル信号は、ＤＳＰ５でＴＨＸ効果を付加しないドルビーデジタル機能のデジタル信号処理が行われ、Ｄ／Ａ６、アンプ７および出力端子８を介してステレオスピーカおよびサラウンドスピーカに供給される。
【００３２】
また、マイクロコンピュータ２は、リモコン信号を双方向リモコンコマンダー１０へ返信せず、したがって、双方向リモコンコマンダー１０の表示部１１のアイコン１１ｅは、陰影無しの表示（図２（Ｂ）参照）のままとなる。したがって、表示部１１のアイコン１１ｅの表示を見れば、オーディオシステムは、ドルビーデジタル機能においてＴＨＸ機能を設定したが動作中ではないことが分かる。
【００３３】
以上のように、ドルビーデジタル機能の使用時には、ＴＨＸサラウンド再生機能のオン状態時にドルビーデジタル入力信号のチャンネル数の変化を入力信号に含まれるチャンネルコードで監視し、サラウンドスピーカを必要とするチャンネル数の場合は、ＴＨＸサラウンド再生機能をオン状態に維持し、サラウンドスピーカを必要としないチャンネル数の場合は、ＴＨＸ機能をオン状態からオフ状態に切り替えるため、ＴＨＸ機能が適宜に自動的にオン／オフされるので、操作が簡単になり、いつでも最適な音場を提供することができる。
【００３４】
次に、他の例として、サラウンド再生機能としてドルビープロロジックが選択され、かつＴＨＸ効果を付加する場合について説明する。
【００３５】
まず、双方向リモコンコマンダー１０の表示部１１に、各種再生機能を指定する画面としてのリスンモード画面を出し、ドルビーデジタル、プロロジック、３ステレオ、ステレオ、ＴＨＸを指定するためのアイコン１１ａ，１１ｂ，１１ｃ，１１ｄおよび１１ｅを表示させる。
【００３６】
次いで、操作キー１３のカーソル上方向移動キー１３ａまたはカーソル下方向移動キー１３ｂを操作して表示部１１に表示されているアイコンの中からアイコン１１ｂ「Prologic」を選択し、次いでエンターキー１３ｅを操作してエンターする。それにより、アイコン１１ｂ「Prologic」は、他のアイコンと区別できるように陰影付アイコンとして表示される。
【００３７】
このとき、双方向リモコンコマンダー１０からドルビープロロジックを指定するリモコン信号がサラウンドアンプ１の送受信部９に送信される。送受信部９で受信したリモコン信号はマイクロコンピュータ２に入力され、マイクロコンピュータ２は、リモコン信号に基づいてＤＳＰ５をドルビープロロジックに対応するデジタル信号処理を行うよう制御する。
【００３８】
次いで、操作キー１３のカーソル上方向移動キー１３ａまたはカーソル下方向移動キー１３ｂを操作して、表示部１１に表示されているアイコン１１ｅ「ＴＨＸ」を選択し、次いでエンターキー１３ｅを操作してエンターする。それにより、アイコン１１ｅには「ＴＨＸ  ＯＮ」と表示され、ＴＨＸ機能を付加すべきことが示される。すなわち、アイコン１１ｅを「ＴＨＸ」から「ＴＨＸ  ＯＮ」に変えることにより、ＴＨＸサラウンド再生機能を設定したことを表す。
【００３９】
このとき、双方向リモコンコマンダー１０からＴＨＸ機能を指定するリモコン信号がサラウンドアンプ１の送受信部９に送信される。送受信部９で受信したＴＨＸ機能を指定するリモコン信号はマイクロコンピュータ２に入力される。
【００４０】
したがって、入力端子３に入力されたドルビープロロジックの多チャンネル信号は、ＤＳＰ５でドルビープロロジック機能にＴＨＸ効果が付加されたデジタル信号処理が行われ、Ｄ／Ａ６、アンプ７および出力端子８を介してステレオスピーカおよびサラウンドスピーカに供給される。
【００４１】
また、マイクロコンピュータ２は、送受信部９から「ＴＨＸオン」を表すリモコン信号を双方向リモコンコマンダー１０へ返信する。双方向リモコンコマンダー１０は、受信した「ＴＨＸオン」を表すリモコン信号に基づいて、表示部１１のアイコン１１ｅの「ＴＨＸ  ＯＮ」を、ＴＨＸ機能を設定したことを表す陰影無しの表示からＴＨＸ機能の動作中を表す陰影付アイコンに変える。したがって、表示部１１のアイコン１１ｅの表示を見て、オーディオシステムがプロロジック機能にＴＨＸ機能の付加された状態であることが分かる。
【００４２】
以上のように、ドルビープロロジック機能の使用時には、ＴＨＸサラウンド再生機能のオン状態時にドルビープロロジック機能が選択されているという判断に基づいて、ＴＨＸサラウンド機能をオン状態に切り替えることができる。
【００４３】
さらに、ドルビーデジタルおよびドルビープロロジック以外の多チャンネル入力信号、すなわち、３ステレオまたはステレオ信号が入力端子３に入力される場合について説明する。
【００４４】
まず、双方向リモコンコマンダー１０の表示部１１に、各種再生機能を指定する画面としてのリスンモード画面を出し、ドルビーデジタル、プロロジック、３ステレオ、ステレオ、ＴＨＸを指定するためのアイコン１１ａ，１１ｂ，１１ｃ，１１ｄおよび１１ｅを表示させる。
【００４５】
次いで、操作キー１３のカーソル上方向移動キー１３ａまたはカーソル下方向移動キー１３ｂを操作して表示部１１に表示されているアイコンの中からアイコン１１ｃ「3 STEREO」または１１ｄ「STEREO」を選択し、次いでエンターキー１３ｅを操作してエンターする。それにより、アイコン１１ｃ「3 STEREO」または１１ｄ「STEREO」は、他のアイコンと区別できるように陰影付アイコンとして表示される。
【００４６】
このとき、双方向リモコンコマンダー１０から３ステレオまたはステレオを指定するリモコン信号がサラウンドアンプ１の送受信部９に送信される。送受信部９で受信したリモコン信号はマイクロコンピュータ２に入力され、マイクロコンピュータ２は、リモコン信号に基づいてＤＳＰ５を３ステレオまたはステレオに対応するデジタル信号処理を行うよう制御する。
【００４７】
このとき、もし、アイコン１１ｅが陰影無しの「ＴＨＸ  ＯＮ」になっており、ＴＨＸサラウンド再生機能を設定したことを表していても、マイクロコンピュータ２は、３ステレオまたはステレオ再生機能が選択されているという判断に基づいて、ＴＨＸ機能を設定状態から動作状態（すなわちオン状態）に切り替える制御を行わない。
【００４８】
したがって、入力端子３に入力された３ステレオまたはステレオ信号は、ＤＳＰ５でＴＨＸ効果が付加されないデジタル信号処理が行われ、Ｄ／Ａ６、アンプ７および出力端子８を介してステレオおよびセンタースピーカまたはステレオスピーカのみに供給される。
【００４９】
以上のように、３ステレオまたはステレオ機能の使用時には、ＴＨＸサラウンド再生機能のオン状態時に３ステレオまたはステレオ機能が選択されているという判断に基づいて、ＴＨＸサラウンド機能をオフ状態に切り替えることができる。
【００５０】
次に、図３は、上記の動作を説明するフローチャートである。  まずステップＳ１で、入力信号はドルビーデジタルか否かを判定し、イエスならばＳ２に進み、ノーならばＳ３に進む。Ｓ２では、サラウンドスピーカに出力を必要とする入力信号か否かを判定し、イエスならばＳ４に進み、ノーならばＳ７に進む。Ｓ４では、ＴＨＸオンモード設定になっているか否かを判定し、イエスならばＳ５に進み、ノーならばＳ７に進む。
【００５１】
Ｓ５では、ＴＨＸオンでサラウンドＤＳＰ５を設定し、次いでＳ６で、表示部１１にＴＨＸオン表示する。
【００５２】
Ｓ１の答がノーならば、Ｓ３で、ラスト（直前）のリスンモードはドルビー  プロロジックか否かを判定し、イエスならばＳ４に進み、ノーならばＳ７に進む。
【００５３】
Ｓ７では、ＴＨＸオフでサラウンドＤＳＰ５を設定し、次いでＳ８で、表示部１１にＴＨＸオフ表示する。
【００５４】
以上説明したように、ＴＨＸの効果を必要とする入力信号とそうでない信号をユーザーに煩わせること無く、いつでも最適な音場を提供できる。
【００５５】
以上、本発明の実施の形態について説明したが、本発明はこれに限らず、種々の変形、応用が可能である。たとえば、チューナ、ＣＤプレーヤ、ビデオ等の入力ソースを選択するセレクタの各ポジション毎にサラウンド状態を記憶しておく仕様のサラウンド・アンプにおいても、記憶されているサラウンドによりＴＨＸの効果をかけることができる。
【００５６】
【発明の効果】
請求項１記載の発明によれば、オーディオ機器は、サラウンドスピーカを用いることで音場効果が成り立つようにした音場サラウンド再生機能（特に、ＴＨＸサラウンド再生機能）のオン状態時に入力信号のチャンネル数の変化を監視し、サラウンドスピーカを必要とするチャンネル数の場合は、上記音場サラウンド再生機能をオン状態に維持し、サラウンドスピーカを必要としないチャンネル数の場合は、上記音場サラウンド再生機能をオン状態からオフ状態に切り替えるため、上記音場サラウンド再生機能が適宜に自動的にオン／オフされるので、操作が簡単になり、いつでも最適な音場を提供することができる。
【００５７】
また、請求項２記載の発明によれば、入力信号のチャンネル数の変化を、入力信号に含まれるチャンネルコードで確認するので、上記音場サラウンド再生機能の効果を付加すべき入力信号を確実に確認することができる。
【００５８】
また、請求項３記載の発明によれば、オーディオ機器は、音場サラウンド再生機能のオン状態時に入力信号にチャンネルコードが含まれているか否かを監視し、入力信号にチャンネルコードが含まれている場合はそのチャンネルコードからチャンネル数を判別し、音場サラウンド再生機能をオン状態に維持しまたはオフ状態に切り替え、入力信号にチャンネルコードが含まれていない場合は複数の多チャンネル再生機能のうちどの多チャンネルに対する再生機能が選択されているかの判断に基づいて、音場サラウンド再生機能をオンまたはオフ状態に切り替えるため、音場サラウンド再生機能が適宜に自動的にオン／オフされるので、操作が簡単になり、いつでも最適な音場を提供することができる。
【００５９】
また、請求項４記載の発明によれば、サラウンドスピーカを用いる場合と、用いない場合とに手動にて選択可能とされ、入力信号がサラウンドスピーカを必要としない信号の場合は、音場サラウンド再生機能がオン状態とされていてもオフ状態に切り替えるので、不自然な音場サラウンド再生がなされてしまうことがなくなる。
【００６０】
また、請求項５記載の発明によれば、このシステムは双方向リコモンコマンダーを備えると共に、オーディオ機器は双方向リモコンコマンダーとリモコン信号のやりとりを行うリモコン送受信部を備え、双方向リモコンコマンダーは、表示部と操作部を備え、表示部には、音場サラウンド再生機能用アイコンと他の複数の再生機能用アイコンが表示され、操作部は、少なくとも、アイコンの中から特定のアイコンを選択指示する選択キーと選択されたアイコンに対応する機能をエンターするエンターキーを備え、音場サラウンド再生機能用アイコンは、オーディオ機器からの信号によってその表示状態が変更可能に構成されているので、音場サラウンド再生機能の指定をリモート的に行うことができ、かつ指定状態をアイコンで確認することができる。
【００６１】
さらに、請求項５記載の発明によれば、双方向リモコンコマンダーの上記音場サラウンド再生機能用アイコンの表示状態は、上記音場サラウンド再生機能を設定したことを表す第１の表示状態と、上記音場サラウンド再生機能の動作中を表す上記第１の表示状態と異なる表示状態であって上記オーディオ機器からの信号によって表示されることとなる上記音場サラウンド再生機能が適正に行われていることを示す第２の表示状態とを有するので、特定のサラウンド再生時に上記音場サラウンド再生機能の設定中および動作中を確認することができる。
【図面の簡単な説明】
【図１】本発明に係るオーディオシステムの実施の形態を示すブロック図である。
【図２】（Ａ）、（Ｂ）および（Ｃ）は、それぞれ、双方向リモコンコマンダーの表示部の表示例を示す略図である。
【図３】図１のブロック図の動作を説明するフローチャートである。
【符号の説明】
１      サラウンドアンプ
２      マイクロコンピュータ
３      入力端子
４      デジタル  インターフェース  レシーバー（ＤＩＲ）
５      デジタル  シグナル  プロセッサ（ＤＳＰ）
６      デジタル／アナログコンバータ（Ｄ／Ａ）６
７      アンプ
８      出力端子
９      リモコン送受信部
１０    双方向リモコンコマンダー
１１    表示部
１１ａ  アイコン「Dolby Digital 」
１１ｂ  アイコン「Prologic」
１１ｃ  アイコン「3 STEREO」
１１ｄ  アイコン「STEREO」
１１ｅ  アイコン「ＴＨＸ」または「ＴＨＸ  ＯＮ」
１２    操作部
１３    操作キー
１３ａ  カーソル上方向移動キー
１３ｂ  カーソル下方向移動キー
１３ｃ  カーソル右方向移動キー
１３ｄ  カーソル左方向移動キー
１３ｅ  エンターキー
【図１】
0003842473.tif 000002
【図２】
0003842473.tif 000003
【図３】
0003842473.tif 000004